(57)【要約】【課題】発電機能のみならず雑草防止効果を兼ね備え、既設の山間部などの道路沿いの斜面や、宅地造成地の斜面等に時期や場所を選ばず設置することが可能な雑草防止法面保護用ソーラーマットを提供することである。【解決手段】設置面の凹凸に追随して屈曲する樹脂シートと、樹脂シート上に所定の間隔で取り付けた太陽電池パネルと、各太陽電池パネルを電気的に接続する電気配線を有し、擁壁その他の法面に設置して太陽電池で発電した電力の供給を受け、なおかつ樹脂シートの擁壁その他の法面に設置することにより法面の雑草防止を図れるようにしたことを特徴とする雑草防止法面保護用ソーラーマット。【選択図】          図１
2004316080.tif 000002
【特許請求の範囲】
【請求項１】
設置面の凹凸に追随して屈曲する樹脂シートと、樹脂シート上に所定の間隔で取り付けた太陽電池パネルと、各太陽電池パネルを電気的に接続する電気配線を有し、擁壁その他の法面に設置して太陽電池で発電した電力の供給を受け、なおかつ樹脂シートの擁壁その他の法面に設置することにより法面の雑草防止を図れるようにしたことを特徴とする雑草防止法面保護用ソーラーマット。
【請求項２】
前記樹脂シートが、多数を連結するための連結手段を備えている請求項１に記載の雑草防止法面保護用ソーラーマット。
【請求項３】
前記樹脂シートに搭載した太陽電池パネルが、他の樹脂シート上の太陽電池パネルと電気的に接続するコネクタを備えている請求項２に記載の雑草防止法面保護用ソーラーマット。
【請求項４】
前記樹脂シートが、雑草の発生を防止する素材もしくは機能を備えている請求項１ないし３のいずれかに記載の雑草防止法面保護用ソーラーマット。
【発明の詳細な説明】
【０００１】
【発明の属する技術分野】この発明は、太陽電池パネルを一体化した樹脂シートに関し、特に雑草防止効果を持たせた雑草防止法面保護用ソーラーマットを提供しようとするものである。
【０００２】
【従来の技術】山腹などの傾斜地に道路を建設する場合、道路に沿った斜面は、その崩壊を防ぐため、コンクリートなどで固められる。また、傾斜地に宅地を造成した場合にも、傾斜が急な部分はコンクリートなどで固められる。
【０００３】一方、太陽電池は光エネルギーを電気エネルギーに変換するものであり、火力発電のように二酸化炭素などを発生しないので、地球環境問題を解決する観点からも、太陽電池の普及は積極的に取り組むべき重要課題である。そして太陽電池の中でも、近年、アモルファス太陽電池が、エネルギー変換効率は結晶形の太陽電池に比べて若干劣るものの、軽量でかつ量産化に適し、かつ低コストであることから注目を集めている。この太陽電池を利用して電気エネルギーを得ようとする場合、従来は地上に広い場所を確保し、専用の架台を配置して、その上に太陽電池を設置したり、あるいは建物の屋上などに架台を置いて太陽電池を設置している。
【０００４】このように、太陽電池を設置するためには、地上や建物の上に場所を確保する必要があり、また専用の架台を設けなければならないので、多大な費用がかかっていた。一方、山間部などの道路沿いの斜面や、宅地造成地の斜面などは、全体として非常に広い面積を占めているにもかかわらず、斜面崩壊阻止の手段が単に講じられているのみであり、有効に利用されていない。そこで、発電機能を兼ね備えた太陽電池パネル一体型コンクリートマットが特開平８−２６９９７２号公報において提案されている（特許文献１参照）。
【０００５】
【特許文献】特開平８−２６９９７２号公報
【０００６】
【発明が解決しようとする課題】上記特開平８−２６９９７２号公報の太陽電池パネル一体型コンクリートマットは、柔軟性材料からなる管によって網を形成し、前記管にコンクリートを充填して構成したコンクリートマットにおいて、多数の太陽電池パネルと、各太陽電池パネルの背面から突設された支柱とを備え、前記支柱の下端は前記管の交差部に充填されたコンクリート中に埋設され、多数の太陽電池パネルはこの支柱によりコンクリートマット上に平面的に並べて配置されていることを特徴とするものである。すなわち、この発明の太陽電池パネル一体型コンクリートマットは、斜面の崩壊を防止するという本来の機能を備えた上に、発電機能をも備えさせたものである。
【０００７】しかしながら、以上の構造を備えた太陽電池パネル一体型コンクリートマットは、単に擁壁用ブロックに太陽電池パネルを貼付した構造とほとんど差異がない。すなわち、斜面の崩壊を防止する擁壁用ブロックの機能と、太陽電池による発電機能とをただ単に結合したに過ぎないものである。
【０００８】そこでこの発明の目的は、発電機能のみならず雑草防止効果を兼ね備え、既設の山間部などの道路沿いの斜面や、宅地造成地の斜面等に時期や場所を選ばず設置することが可能な雑草防止法面保護用ソーラーマットを提供することである。
【０００９】
【課題を解決するための手段】前記目的を達成するためこの発明の雑草防止法面保護用ソーラーマットは、設置面の凹凸に追随して屈曲する樹脂シートと、樹脂シート上に所定の間隔で取り付けた太陽電池パネルと、各太陽電池パネルを電気的に接続する電気配線を有し、擁壁その他の法面に設置して太陽電池で発電した電力の供給を受け、なおかつ樹脂シートの擁壁その他の法面に設置することにより法面の雑草防止を図れるようにしたことを特徴とするものである。
【００１０】またこの発明の雑草防止法面保護用ソーラーマットは、前記樹脂シートが、多数を連結するための連結手段を備えていることをも特徴とするものである。
【００１１】この発明の雑草防止法面保護用ソーラーマットは、前記樹脂シートに搭載した太陽電池パネルが、他の樹脂シート上の太陽電池パネルと電気的に接続するコネクタを備えていることをも特徴とするものである。
【００１２】この発明の雑草防止法面保護用ソーラーマットは、前記樹脂シートが、雑草の発生を防止する素材もしくは機能を備えていることをも特徴とするものである。
【００１３】この発明の雑草防止法面保護用ソーラーマットによれば、設置面の凹凸に追随して屈曲する樹脂シートと、樹脂シート上に所定の間隔で取り付けた太陽電池パネルとによって構成されている。したがって、樹脂シートとして設置面の凹凸に追随して屈曲し、傾斜地を被覆して雑草の発生を防止すると同時に、太陽電池パネルが太陽光を受けて電力を発生する。
【００１４】
【発明の実施の形態】次に、この発明の雑草防止法面保護用ソーラーマットの実施の形態を、添付図面を参照して説明する。
図１はこの発明の雑草防止法面保護用ソーラーマットの１実施例を示す平面図、図２はその側面図、図３は太陽電池パネルの構造を示す断面図である。
【００１５】この実施例に係る雑草防止法面保護用ソーラーマット１１は、斜面に配置された樹脂シート１３と、太陽電池パネル１５とによって構成されている。そして、樹脂シート１３は設置する斜面の凹凸に追随して屈曲することが可能であり、雑草の発生を防止するとともに、斜面の凹凸になじむので景観を損なったり、強度の低下を招くことがない。
【００１６】上記樹脂シート１３上に所定の間隔で取り付けた太陽電池パネル１５は、通常アモルファス太陽電池によって構成されており、形状は一般的には正方形である。なお、この太陽電池パネル１５の大きさは、設定に応じて任意のものとすることができる。そしてこの太陽電池パネル１５は図３の断面図に示すような構造を有している。すなわち、２１はステンレス基板であり、その厚さは例えば０．１２５ｍｍである。このステンレス基板２１は負極としての機能も果たしている。基板２１の上にはアモルファス・シリコン層２３が形成されている。このアモルファス・シリコン層２３はアモルファス太陽電池を構成するために必要なＰ層、Ｉ層、Ｎ層を含む公知の多層構造を有している。アモルファス・シリコン層２３の上には透明電極２５が形成され、この透明電極２５が正極となっている。
【００１７】ステンレス基板２１の下面と、透明電極２５の上面にはフッ素樹脂のコーティングによって、防護層２７、２９が形成されている。防護層２７、２９の厚さは例えば１．０ｍｍである。また、透明電極２５上の防護層２９は光透過性を有するフッ素樹脂で形成されている。この防護層２９の側が太陽電池パネル１５の受光面３１である。防護層２７の外側の面にはさらに合成樹脂製の下地層３３が形成されている。下地層３３を除いた部分の厚さは３ｍｍ以下である。また、透明電極２５とステンレス基板２１の両端部にはそれぞれリード線３５が接続されており、これらのリード線の端部にはプラグ３７とソケット３９とがそれぞれ接続され、各太陽電池パネル１５を電気的に接続する電気配線を構成している。
【００１８】以上のようにして得た雑草防止法面保護用ソーラーマット１１は、擁壁その他の法面に設置して太陽電池パネル１５で発電した電力の供給を受け、なおかつ樹脂シート１３を擁壁その他の法面に設置することにより、法面の雑草防止を図れるようになっている。
【００１９】またこの実施例の雑草防止法面保護用ソーラーマット１１は、前記樹脂シート１３が、多数を縦横に連結するための連結手段を備えている。すなわち、図では紐１７により必要枚数を簡単に縦横に連結することができるようになっている。
もちろん、スナップ式の連結具や通常のファスナ、面ファスナ、粘着材等の化学素材、その他の連結手段を用いることも可能である。
【００２０】この実施理恵の雑草防止法面保護用ソーラーマット１１は、前記樹脂シート１３に搭載した太陽電池パネル１５が、他の樹脂シート１３上の太陽電池パネル１５と電気的に接続するコネクタ４１を備えていることもできる。そのようにすれば、各太陽電池パネル１５から配電装置までの配線を効率のよいものとすることができる。
【００２１】この実施例の雑草防止法面保護用ソーラーマット１１は、前記樹脂シート１３が、雑草の発生を防止する素材もしくは機能を備えていることができる。そのような雑草の発生を防止する素材もしくは機能としては、予め樹脂素材に除草剤等を練り込んだ樹脂シート１３、除草可能な程度の温度に樹脂シート１３を昇温させるために樹脂シート１３内に組み込んだ発熱線（図示せず）等を挙げることができる。
【００２２】次に、この実施例の雑草防止法面保護用ソーラーマット１１の敷設方法について説明する。まず、雑草防止法面保護用ソーラーマット１１を敷設すべき斜面を整地して凹凸を無くし、斜面に順次雑草防止法面保護用ソーラーマット１１を敷設していく。
【００２３】次に、各樹脂シート１３間の多数の太陽電池パネル１５を、隣接する太陽電池パネル１５のコネクタ４１を相互に接続することによって、各太陽電池パネル１５を電気的に並列接続する。これにより雑草防止法面保護用ソーラーマット１１の敷設が完了する。
【００２４】この実施例によれば、斜面の凹凸に沿って雑草防止法面保護用ソーラーマット１１が敷設されるので、スペースを確保したりまた架台を設けることなく、斜面に多数の太陽電池パネル１５が設置されることになる。そして、雑草防止法面保護用ソーラーマット１１により斜面における雑草の発生が防止されることは無論のこと、太陽電池パネル１５に太陽光が入射すると、各太陽電池パネル１５は光エネルギーを電気エネルギーに変換し、電力を発生する。すなわち、雑草防止法面保護用ソーラーマット１１は、斜面の雑草の発生が防止するという機能を備えた上に、さらに発電機能をも備えている。
【００２５】太陽電池パネル１５から得られる電力は、具体的には、例えば道路の照明や、積もった雪を解かしたりするために利用することができる。また、太陽電池パネル１５からは直流の電流が得られるが、これを１００Ｖの交流に変換して商用電源に流してもよい。太陽電池パネル１５によって得られた電力は、例えば蓄電池、電流の逆流防止のための素子、過充電防止回路などからなる蓄電回路に一旦蓄え、必要に応じて上記蓄電池から電力を取り出すようにしてもよい。そして、太陽電池パネル１５からの電流を上述のように交流に変換する場合には、例えばインバータを用いて例えば１００Ｖの交流に変換すればよい。また、インバータ、変圧器、整流器によって、用途に応じた種々の直流電圧を得ることも可能である。
【００２６】なお、本実施例では、アモルファス太陽電池を用いたが、アモルファス太陽電池の代りに結晶系の太陽電池や、あるいは他の形式の太陽電池を用いることももちろん可能である。
【００２７】
【発明の効果】以上説明したようにこの発明の雑草防止法面保護用ソーラーマットによれば、設置面の凹凸に追随して屈曲する樹脂シートと、樹脂シート上に所定の間隔で取り付けた太陽電池パネルとによって構成されている。
したがって、樹脂シートとして設置面の凹凸に追随して屈曲し、傾斜地を被覆して雑草の発生を防止すると同時に、太陽電池パネルが太陽光を受けて電力を発生するので、２つの機能を備えた雑草防止法面保護用ソーラーマットを提供することができるようになった。
【図面の簡単な説明】
【図１】この発明の雑草防止法面保護用ソーラーマットの１実施例を示す平面図である。
【図２】その側面図である。
【図３】太陽電池パネルの構造を示す断面図である。
【符号の説明】
１１  雑草防止法面保護用ソーラーマット
１３  樹脂シート
１５  太陽電池パネル
１７  紐
２１  ステンレス基板
２３  アモルファス・シリコン層
２５  透明電極
２７，２９  防護層
３１  受光面
３３  下地層
３５  リード線
３７  プラグ
３９  ソケット
４１  コネクタ
【図１】
2004316080.tif 000003
【図２】
2004316080.tif 000004
【図３】
2004316080.tif 000005